(57)【要約】【課題】被写体にとっての目位置合わせの煩わしさを少なくし、迅速かつ的確に目位置を誘導して両目の眼画像を撮影可能とする。【解決手段】撮影装置１は、撮影装置１は、２つの窓３５、３６を有する非鏡面のパネル３４と、２つの窓３５、３６を通して被写体７０の左目７１と右目７２とをそれぞれ映すハーフミラー３０と、パネル３４に配置された被写体７０に注視させるための注視用目印２００と、ハーフミラー３０の後方から被写体７０の左目７１を撮影するためのカメラ１６と、ハーフミラー３０の後方から被写体７０の右目７２を撮影するためのカメラ１７とを備えている。【選択図】図１
2007319175.tif 000002
【特許請求の範囲】
【請求項１】
２つの窓を有する非鏡面のパネルと、
前記２つの窓を通して被写体の左目と右目とをそれぞれ映すハーフミラーと、
前記パネルに設けられた、前記被写体に注視させるための注視用目印と、
前記ハーフミラーの後方から前記被写体の前記左目を撮影するための第１の撮影部と、
前記ハーフミラーの後方から前記被写体の前記右目を撮影するための第２の撮影部と、
を備えたことを特徴とする撮影装置。
【請求項２】
前記２つの窓の形状は長方形であることを特徴とする請求項１に記載の撮影装置。
【請求項３】
前記２つの窓の間に所定の空白領域を設けたことを特徴とする請求項１または請求項２に記載の撮影装置。
【請求項４】
前記パネルにおいて、前記注視用目印を前記２つの窓の間の前記空白領域に重ならないように配置したことを特徴とする請求項３に記載の撮影装置。
【請求項５】
前記パネルにおいて、前記注視用目印は、前記２つの窓の間の前記空白領域の上側に配置したことを特徴とする請求項３または請求項４に記載の撮影装置。
【請求項６】
前記パネルにおいて、前記注視用目印の周囲に空白領域を設けたことを特徴とする請求項１から請求項５までのいずれか１項に記載の撮影装置。
【請求項７】
前記注視用目印が複数の発光素子より構成され、
前記被写体と前記第１の撮影部または前記第２の撮影部との撮影距離を測定する測距部と、
前記測距部で測定された前記撮影距離に応じて前記複数の発光素子の点灯を制御する表示制御部と、
をさらに備えたことを特徴とする請求項１から請求項６までのいずれか１項に記載の撮影装置。
【請求項８】
前記表示制御部は、前記撮影距離が前記第１の撮影部または前記第２の撮影部の合焦範囲内のとき、前記複数の発光素子の少なくともいずれか１つを点灯または点滅させることを特徴とする請求項７に記載の撮影装置。
【請求項９】
前記表示制御部は、前記撮影距離が前記第１の撮影部または前記第２の撮影部の焦点距離に近づくほど、前記複数の発光素子の点灯数または点滅数を増やすことを特徴とする請求項７または請求項８に記載の撮影装置。
【請求項１０】
請求項１から請求項９までのいずれか１項に記載の撮影装置と、
前記撮影装置で前記被写体の前記右目と前記左目とを撮影して得た眼画像から前記被写体があらかじめ登録された者であるか否かを認証する認証部と、
を備えたことを特徴とする認証装置。
【請求項１１】
前記認証部は、前記撮影装置で前記被写体の前記右目と前記左目とを撮影して得た前記眼画像からそれぞれ認証情報を作成する認証情報生成部と、
前記認証情報生成部で作成された前記右目と前記左目の前記認証情報とあらかじめ登録された登録認証情報とを比較照合する照合部と、
前記照合部で比較照合して得た一致度と所定の閾値との比較によって前記被写体があらかじめ登録された者であるか否かを判定する認証判定部と、
を備えたことを特徴とする請求項１０に記載の認証装置。
【請求項１２】
前記認証判定部は、前記右目と前記左目の少なくともいずれか一方の前記認証情報から前記被写体があらかじめ登録された者であるか否かを判定することを特徴とする請求項１１に記載の認証装置。
【請求項１３】
前記認証情報は、前記眼画像の虹彩領域をコード化して作成した認証コードであることを特徴とする請求項１１または請求項１２に記載の認証装置。
【発明の詳細な説明】
【技術分野】
【０００１】
本発明は、撮影装置およびそれを用いた認証装置に関し、特に、個人識別のための網膜や虹彩の紋様を撮影するための撮影装置およびそれを用いた認証装置に関する。
【背景技術】
【０００２】
個人を識別する虹彩認証システムは撮影装置と認証装置とを備えている。撮影装置では、近赤外線照明などの方法で被写体の目およびその周辺を照明し、カメラにより被写体の目を撮影していた。そして、認証装置では、カメラで撮影して得た目を含む画像（以下、「眼画像」という）から虹彩領域を抽出して虹彩部分の皺の模様の違いが数値情報として表されるようにコード化した認証情報（以下、「認証コード」という）を作成し、この認証コードをあらかじめ登録された認証情報（以下、「登録認証コード」という）と比較照合していた。認証装置は、比較照合の結果、互いに一致すると判定された場合には、被写体があらかじめ登録された者であるとして認証していた。
【０００３】
係る撮影装置において、迅速かつ的確に良好な被写体の目の画像が撮影できないと、認証時の処理時間が長くなった場合には被写体にとって負担となる。また、撮影装置は、画像の画質が十分でない場合に、再度、認証を行うために目を撮影する必要があり、被写体にとっては煩わしい。そこで、カメラの前面位置に被写体の目がくるように誘導し、良好な目の画像を撮影できるようにする必要がある。
【０００４】
たとえば、従来の撮影装置では、両目を映せるだけの大きさのハーフミラーに両目をそれぞれ誘導するための枠を描き、枠によって誘導された被写体の両目をそれぞれカメラで撮影していた。また、２台のカメラで撮影した画像を用いて、三角測量法により装置前面から顔までの距離を測定し、音声指示により被写体を最適な撮影位置に誘導していた（たとえば、特許文献１参照）。
【０００５】
また、撮影装置は、ハーフミラーに被写体の両目を誘導するマークを描き、マークによって誘導された被写体の両目をカメラで撮影していた（たとえば、特許文献２参照）。
【０００６】
また、撮影装置は、両目で視認する１つのマークを備え、被写体が両目でマークを見ている状態で左目と右目とをそれぞれカメラで撮影することで、眼画像をできるだけ正面より撮影するようにしていた（たとえば、特許文献３参照）。
【特許文献１】特開２００４−１６７０４６号公報
【特許文献２】特開２００２−１４０６９８号公報
【特許文献３】特開２００４−４６４５１号公報
【発明の開示】
【発明が解決しようとする課題】
【０００７】
しかしながら、従来の撮影装置では、ハーフミラーに映った顔を見ながら目の誘導用の枠やマークなどの目印に目位置を合わせていたため、ハーフミラーには両目、２つの枠やマーク、顔の部分などが混在して見える状態となり、被写体にとって視線を注視する箇所が特定しにくかった。このように、注視する箇所が定まらない状態でハーフミラーを見るとハーフミラーに映った目などの虚像が発生するため、目の虚像と枠やマークが混在して視認され、目位置を合わせにくいといった課題があった。
【０００８】
また、１つのマークを視認させた被写体の目を撮影する場合、眉間側に寄った目をカメラで斜めから撮影することになるため、眼画像が歪んでしまい、撮影後にその歪みの補正が必要となる。撮影された眼画像の歪みを補正しても、正面から撮影したような眼画像に戻らない場合は虹彩情報に歪を生じ、認証率を低下させる場合もあるといった課題があった。
【０００９】
本発明は、このような課題に鑑みてなされたものであり、被写体にとっての目位置合わせの煩わしさを少なくし、迅速かつ的確に目位置を誘導して両目の眼画像を撮影可能な撮影装置およびそれを用いた認証装置を提供することを目的とする。
【課題を解決するための手段】
【００１０】
本発明の撮影装置は、２つの窓を有する非鏡面のパネルと、２つの窓を通して被写体の左目と右目とをそれぞれ映すハーフミラーと、パネルに設けられた、被写体に注視させるための注視用目印と、ハーフミラーの後方から被写体の左目を撮影するための第１の撮影部と、ハーフミラーの後方から被写体の右目を撮影するための第２の撮影部とを備えたことを特徴とする。
【００１１】
この構成によれば、被写体に注視用目印を注視させ、被写体の左目と右目とをそれぞれ窓を通してハーフミラーに映して目位置を誘導することができる。これにより、ハーフミラーに両目を映した場合であっても虚像の発生を抑え、被写体の両目を容易に窓内に誘導することができる。
【００１２】
また、２つの窓の形状は長方形であってもよい。
【００１３】
これによれば、さらに、２つの窓内に映るそれぞれの画像に対する虚像の上下側が、どの重なり位置でもずれないようにすることができるため、目の負担を抑えることができる。
【００１４】
また、２つの窓の間に所定の空白領域を設けてもよい。
【００１５】
これによれば、さらに、２つの窓の間に発生する虚像と虚像以外のものとが重なって視認されるのを抑えることができる。これにより、目位置合わせが容易で、負担を抑えることができる。
【００１６】
また、パネルにおいて、注視用目印を２つの窓の間に設けられた空白領域と重ならないように配置してもよい。
【００１７】
これによれば、さらに、目位置合わせ時に虚像と注視用目印とが重なって視認されるのを抑えることができる。これにより、容易に目位置を合わせることができ、負担を抑えることができる。
【００１８】
また、パネルにおいて、注視用目印は、２つの窓の間に設けられた空白領域の上側に配置してもよい。
【００１９】
これによれば、さらに、被写体の両目を大きくあけた状態で撮影することができ、撮影して得た眼画像の情報の欠落を抑えることができる。
【００２０】
また、パネルにおいて、注視用目印の周囲に空白領域を設けてもよい。
【００２１】
これによれば、さらに、注視用目印の背景画像の影響を抑えることができる。
【００２２】
また、注視用目印が複数の発光素子より構成され、被写体と第１の撮影部または第２の撮影部との撮影距離を測定する測距部と、測距部で測定された撮影距離に応じて複数の発光素子の点灯を制御する表示制御部とをさらに備えてもよい。
【００２３】
これによれば、さらに、被写体に注視用目印を注視させると同時に、被写体を撮影可能な距離に誘導することが可能となる。
【００２４】
また、表示制御部は、撮影距離が第１の撮影部または第２の撮影部の合焦範囲内のとき、複数の発光素子の少なくともいずれか１つを点灯または点滅させるようにしてもよい。
【００２５】
これによれば、さらに、被写体に注視用目印を注視させると同時に、発光素子の点灯または点滅により、被写体を第１の撮影部または第２の撮影部の合焦範囲内に誘導することが可能となる。
【００２６】
また、表示制御部は、撮影距離が第１の撮影部または第２の撮影部の焦点距離に近づくほど、発光素子の点灯数または点滅数を増やすようにしてもよい。
【００２７】
これによれば、さらに、被写体を焦点位置に誘導でき、良好な目の眼画像を撮影することができる。
【００２８】
本発明の認証装置は、上記の撮影装置と、撮影装置で被写体の右目と左目とを撮影して得た眼画像から被写体があらかじめ登録された者であるか否かを認証する認証部とを備えたことを特徴とする。
【００２９】
これによれば、認証部は、被写体に対して１回の目位置合わせで撮影装置より右目と左目の眼画像を取得でき、認証を行うことができる。これにより、認証部は、保有する登録認証情報が右目用と左目用のいずれか一方、または、両目用のどちらであっても、認証を行うことができる。
【００３０】
また、認証部は、撮影装置で被写体の右目と左目とを撮影して得た眼画像からそれぞれ認証情報を作成する認証情報生成部と、認証情報生成部で作成された右目と左目の認証情報とあらかじめ登録された登録認証情報とを比較照合する照合部と、照合部で比較照合して得た一致度と所定の閾値との比較によって被写体があらかじめ登録された者であるか否かを判定する認証判定部とを備えてもよい。
【００３１】
これによれば、さらに、認証部は、撮影装置より右目と左目の眼画像を取得でき、それぞれ右目用の認証情報と右目用の認証情報を作成できる。これにより、認証部が保有する登録認証情報が右目用と左目用のいずれか一方、または、両目用のどちらであっても認証を行うことができる。
【００３２】
また、認証判定部は、右目と左目の少なくともいずれか一方の認証情報から被写体があらかじめ登録された者であるか否かを判定するようにしてもよい。
【００３３】
これによれば、さらに、登録認証情報が右目用と左目用のいずれか一方、または、両目用のどちらであっても認証を行うことができる。
【００３４】
また、認証情報は、眼画像の虹彩領域をコード化して作成した認証コードであってもよい。
【００３５】
これによれば、さらに、虹彩領域をコード化して作成した認証コードを用いて被写体の認証を行うことができる。
【発明の効果】
【００３６】
本発明によれば、被写体にとっての目位置合わせの煩わしさを少なくし、迅速かつ的確に目位置を誘導して両目の眼画像を撮影可能な撮影装置およびそれを用いた認証装置を提供することができる。
【発明を実施するための最良の形態】
【００３７】
以下、本発明の実施の形態について、図面を用いて詳細に説明する。
【００３８】
（実施の形態１）
図１は、本発明の実施の形態１に係る認証装置の構成を示す図である。
【００３９】
図１において、認証装置３は、被写体７０の左目７１と右目７２とを撮影位置に誘導し、誘導された両目を撮影する撮影装置１と、撮影装置１が取得した被写体７０の両目の眼画像を用いて認証を行う認証部２とを備えている。
【００４０】
まず、撮影装置１について、図１を用いて説明する。
【００４１】
撮影装置１は、２つの窓を有する非鏡面のパネル３４と、２つの窓３５、３６を通して被写体７０の左目７１と右目７２とをそれぞれ映すハーフミラー３０と、パネル３４に設けられた、被写体７０に注視させるための注視用目印２００と、ハーフミラー３０の後方から被写体７０の左目７１を撮影するためのカメラ１６と、ハーフミラー３０の後方から被写体７０の右目７２を撮影するためのカメラ１７とを備えたことを特徴とする。
【００４２】
これにより、撮影装置１は、被写体７０の左目７１と右目７２の目位置を２つの窓３５、３６内にそれぞれ誘導するときに、被写体７０に注視用目印２００を注視させることができる。被写体７０は、注視用目印２００を意識して注視することによって左目７１と右目７２とをハーフミラー３０に映した場合であっても、虚像が発生するのを抑えることができる。
【００４３】
以下、撮影装置１について詳細に説明する。
【００４４】
カメラ１６、１７は、それぞれの撮影光軸８５、８６が被写体７０の左目７１、右目７２の方向に向くように配置され、１回の目位置合わせで被写体７０の左目７１と右目７２とを撮影することができる。
【００４５】
まず、パネル３４の構成について図２を用いて説明する。図２は、撮影装置１のパネルの構成を示す図である。
【００４６】
図２に示すように、パネル３４は２つの窓３５、３６を有し、窓３５、３６の外側は非鏡面になっている。被写体７０は２つの窓３５、３６を通してハーフミラー３０に左目７１と右目７２とを映し、それぞれの目位置を合わせる。ここで、ハーフミラー３０とは、入射する光の一部分を反射し、残余の部分を透過する鏡である。
【００４７】
このように、窓３５、３６の外側を非鏡面にすることで、被写体７０がハーフミラー３０に目を映した場合に、窓３５、３６内の画像以外の画像が反射しないようにしている。これにより、被写体７０の意識を注視用目印２００と窓３５、３６内の画像に集中させることができる。被写体７０に注視用目印２００を注視させることで、ハーフミラー３０に両目を映した場合であっても虚像の発生を抑え、目位置を容易に合わせることができる。
【００４８】
なお、パネル３４は、１枚のハーフミラー３０に２つの窓３５、３６を有する覆いを被せてもよいし、膜を塗布してもよい。また、２つの窓３５、３６用にそれぞれ別々のハーフミラーを取り付けるようにしてもよい。
【００４９】
また、パネル３４は、可視光を透過せず、赤外光を通す覆い、膜、または同等の効果をもつ板でもよい。これにより、パネル３４の後方に設置された測距部３２、光源１１〜１４を被写体７０から直接に見えないようにしている。
【００５０】
また、被写体７０側から見えるパネル３４の表面の色は、注視用目印２００との識別がし易いものであればよく、たとえば、注視用目印２００が白色であれば、表面は黒色とする。また、ハーフミラー３０との識別がし易いものであればよい。さらに、被写体７０が注視用目印２００を注視し易くするため、表面の凹凸を抑えるようにしてもよい。
【００５１】
また、窓３５、３６の間には空白領域３００を設けている。この空白領域３００を設けた場合の効果について、図３を用いて説明する。図３は、空白領域３００を設けたときの評価結果を示す図である。
【００５２】
図３に示すように、評価結果５００により、空白領域３００がある場合の方が、空白領域３００がない場合よりも、目位置を合わせ易いことがわかる。ここで、「○」印は「目位置合わせが容易と評価した人の割合が多い」、「×」印は、「目位置合わせが容易でないと評価した人の割合が多い」ことを示している。
【００５３】
ここで、空白領域３００とは、実質的に被写体７０の視線を刺激するようなものがない領域であればよい。たとえば、電源ランプなどが空白領域３００に配置された場合には、目位置を誘導するときには電源ランプを消灯させ、目に刺激を与えないようにすればよい。これにより、空白領域３００では、実質的に視線を刺激するものがないようにすることができる。このように空白領域３００を設けることで、虚像と電源ランプとが重なって被写体７０に視認された場合であっても、電源ランプは目立ちにくいため、目の負担が少ない。
【００５４】
また、窓の形状による虚像の重なり方について、図４を用いて説明する。図４は、窓の形状における虚像の重なり方を説明するための図である。
【００５５】
図４（ａ）は、窓３５、３６の窓の形状を長方形にした場合の虚像４００、４０１の重なり方を説明するための図である。図４（ａ）に示すように、窓の形状を長方形にした場合、発生した虚像４００、４０１の上側と下側がちょうど一致しながら重なるため、被写体には１つの画像として視認され易く、目位置を合わせるときの目の負担が少ない。
【００５６】
一方、図４（ｂ）は、窓３５、３６の窓の形状を円形にした場合の虚像４０２、４０３の重なり方を説明する図である。図４（ｂ）に示すように、窓の形状を円形にした場合、虚像４０２、４０３が２重にずれて視認され、被写体７０にとって目位置を合わせるときの負担が大きい。
【００５７】
窓の形状の評価結果について、図５を用いて説明する。図５は、窓の形状の評価結果を示す図である。図５において、評価結果５０１より、窓の形状が長方形である場合の方が、円形である場合よりも、被写体７０の負担が少ないことを示している。ここで、「○」印は「目位置合わせが容易と評価した人の割合が多い」、「△」印は、「やや目位置合わせが容易でないと評価した人の割合が多い」ことを示している。
【００５８】
つぎに、パネル３４の前面には、被写体７０に注視させ、虚像の発生を抑えるための注視用目印２００が設けられている。
【００５９】
この注視用目印２００の配置について、図６を用いて説明する。図６は、注視用目印２００の配置を説明するための図である。
【００６０】
図６（ａ）に示すように、注視用目印２００を窓３５、３６よりも上側に配置すると、被写体７０の目の視線が上側を向き、被写体７０の目をより開かせることができる。これにより、撮影して得た眼画像の欠落を抑え、虹彩領域を確保することができる。一方、図６（ｂ）に示すように、注視用目印２００を下側に配置すると、撮影して得た眼画像の虹彩領域が欠落する場合がある。虹彩を抽出できない領域がある場合、認証コードが不完全なものとなり、認証率は低下する。または、認証部２で認証コードの認証ができなくなる場合もある。
【００６１】
また、注視用目印２００は、空白領域３００に重ならないように配置する。注視用目印２００と空白領域３００との重なりに対する評価結果について、図７を用いて説明する。図７は、注視用目印と空白領域との重なりに対する評価結果を示す図である。
【００６２】
図７に示すように、評価結果５０２により、空白領域３００と注視用目印２００との重なりが「なし」の場合の方が、「あり」の場合よりも、目位置合わせがし易いことがわかる。ここで、「○」印は「目位置合わせが容易と評価した人の割合が多い」、「×」印は、「目位置合わせが容易でないと評価した人の割合が多い」ことを示している。
【００６３】
つぎに、注視用目印２００の周囲に空白領域３０１を設けた場合について、図８を用いて説明する。図８は、注視用目印用の空白領域について説明するための図である。
【００６４】
注視用目印２００の周囲に空白領域３０１（図２）を設けている。図８に示すように、注視用目印２００の上側にも下側にも空白領域３０１を設け、被写体７０に注視用目印２００を注視させるときに、背景の画像に影響されないようにしている。ここで、空白領域３０１は、空白領域３００と同様に、実質的に被写体７０の視線を刺激するようなものがない領域である。ここで、空白領域３０１の大きさは、たとえば、被写体７０の目で注視用目印２００を見たときに刺激を感じる視野の範囲を測定し、決定するようにしてもよい。
【００６５】
つぎに、空白領域３０１を設けたときの評価結果について、図９を用いて説明する。図９に示すように、評価結果５０３により、空白領域３０１が「あり」の場合の方が、「なし」の場合よりも、視線が合わせがし易いことを示している。ここで、「○」印は「視線合わせが容易と評価した人の割合が多い」、「×」印は、「視線合わせが容易でないと評価した人の割合が多い」ことを示している。
【００６６】
図１に戻り、カメラ１６、１７は、被写体７０の目位置を誘導するためのハーフミラー３０の後方より被写体７０の両目をそれぞれ撮影する。なお、パネル３４に開けられた窓３５、３６は、それぞれ縦がＷｙ、横がＷｘの大きさである（図６参照）。この窓３５、３６の大きさは、カメラ１６、１７に備えられた撮像素子（図示せず）の大きさ、撮影画角、認証に必要な画素数などにより決定される。
【００６７】
以上のように、２つの窓３５、３６を通して被写体７０の左目７１と右目７２とをそれぞれ映して目位置を合わせる。このとき、まず被写体７０に注視用目印２００を注視させることで、ハーフミラー３０に目を映したときの虚像の発生を抑えることができる。これにより、被写体７０の両目を容易に窓３５、３６内に誘導して目位置（Ｘ軸方向、Ｙ軸方向）を合わせることができる。
【００６８】
つぎに、撮影装置１において、撮影距離（Ｚ軸方向）に対する目位置の誘導について説明する。
【００６９】
測距部３２は、被写体７０の顔領域、たとえば額に対して投光器により光パルスを照射する。光パルスは額で反射し、受光器で捉えられる。ここで、投光パルスと受光パルスの時間差、すなわち光パルス往復時間と光速度の演算を行うことで、被写体７０の額と撮影装置１との距離（Ｚ軸方向）を測定し、目の眼位置での撮影距離に換算する。撮影装置１は、撮影距離（Ｚ軸方向）に応じて、被写体７０の目と撮影装置１との距離が適切になるように音声または表示装置などを用いて誘導する。なお、撮影距離の測定は、三角測量にもとづいて測定してもよいし、２つのカメラで捉えた被写体７０の目間の距離を測定して換算してもよい。
【００７０】
この測距部３２と窓３５、３６を通して両目を映すハーフミラー３０とを用いることにより、撮影装置１は、被写体７０の両目を適切な撮影位置に迅速に誘導（Ｘ軸方向、Ｙ軸方向、Ｚ軸方向）することができる。
【００７１】
つぎに、光源１１と光源１２は、それぞれの光線８１、８２が左目７１を照明するように配置されている。ここで、光源１２は、カメラ１７の撮影光軸と照射方向を交差させて左目７１を照明するように配置されている。また、同様に、光源１３と光源１４は、それぞれの光線８３、８４が右目７２を照明するように設置されている。ここで、光源１４は、カメラ１６の撮影光軸と照射方向を交差させて右目７２を照明するように配置されている。
【００７２】
また、光源１１と光源１２は、Ｘ軸方向に配置ばらつきを含めて略水平に配置される。同様に、光源１３と光源１４はＸ軸方向に略水平に配置される。なお、被写体の目のまつ毛などによって発生する影の影響を取り除くために、Ｙ軸方向に対して配置位置をずらすようにしてもよい。たとえば、被写体７０の目線よりやや下側の方向から左目７１、右目７２を照明するようにしてもよい。光源１１〜１４の詳細な構成については後述する。
【００７３】
目位置判定部３３は、カメラ１６、１７で撮影して得た画像から被写体７０の左目７１、右目７２が撮影画角内に入っているか否かを判定する。また、目位置判定部３３は、測距部３２で測定される撮影距離により、被写体７０の目位置が合焦範囲に入っているか否かを判定する。目位置判定部３３は、「目位置が合焦範囲に入っている」と判定したとき、照明制御部１５に対して「撮影距離ＯＫ」の判定結果を出力する。一方、目位置判定部３３は、「目位置が合焦範囲に入っていない」と判定したとき、照明制御部１５に対して「撮影距離ＮＧ」の判定結果を出力する。
【００７４】
また、目位置判定部３３は、「撮影画角内に目が写っている」かつ「目位置が合焦範囲に入っている」と判定したときには「目位置ＯＫ」の判定結果を画像判定部１８に出力する。一方、目位置判定部３３は、「撮影画角内に目が写っていない」または「目位置が合焦範囲に入っていない」と判定したときには「目位置ＮＧ」の判定結果を画像判定部１８に出力する。
【００７５】
照明制御部１５は、目位置判定部３３から「撮影距離ＯＫ」の判定結果を取得した後、被写体７０の目に対して照明を行う。
【００７６】
照明制御部１５は、裸眼やハード・コンタクトレンズ着用対応、眼鏡着用対応など、それぞれの対応に応じて光源１１〜１４の点灯を制御する。さらに、光源１１〜１４の点灯の組み合わせに応じて、光源の光量を調整する。照明制御部１５による光源の光量調整の詳細は後述する。
【００７７】
画像判定部１８は、目位置判定部３３から「目位置ＯＫ」の判定結果を取得したとき、カメラ１６、１７で撮影された眼画像の画質を判定し、認証コードの生成の可否を判断する。画像判定部１８は、認証コードの生成が可であれば「画質ＯＫ」の判定結果を出力し、認証コードの生成が否であれば「画質ＮＧ」の判定結果を出力する。また、画像判定部１８は、「画質ＮＧ」であれば、カメラ１６、１７に対して、再度撮影するように指示する。
【００７８】
記憶部１９は、画像判定部１８において「画質ＯＫ」の判定結果が得られたとき、左目７１用の眼画像と右目７２用の眼画像とを別々に記憶する。
【００７９】
送受信部２０は、記憶部１９に記憶されている左目７１の眼画像と右目７２の眼画像を認証部２に送信する。また、認証部２での認証処理が完了したか否かの完了情報を受信する。
【００８０】
認証部２は、撮影装置１から得られた被写体７０の両目の眼画像を用いて、被写体７０があらかじめ登録された者であるか否かを認証する。
【００８１】
つぎに、光源１１〜１４の詳細な構成について、図１０を用いて説明する。図１０は、撮影装置１の光源の構成を示す図である。
【００８２】
図１０（ａ）に示すように、光源１１と光源１３は、近赤外光を発光する発光素子１１０を複数並置した構成とし、たとえば、９個の発光素子１１０を並置している。同様に、図１０（ｂ）に示すように、光源１２と光源１４は、近赤外光を発光する発光素子１１０を複数並置した構成とし、たとえば、１６個の発光素子１１０を並置している。
【００８３】
このように、光源１２と光源１４は、光源１１と光源１３に比べて発光素子１１０の個数を増やすことで、裸眼、ハード・コンタクトレンズ着用対応と眼鏡着用対応とで、それぞれ発光素子１１０の点灯を制御可能にしている。これにより、両側照明を行う場合でも、片側照明を行う場合でも被写体７０の両目の眼上における照度が一定になるように調整できる。この両側照明と片側照明については後述する。
【００８４】
つぎに、照明制御部１５による光源１１〜１４の光量調整の詳細について、図１１を用いて説明する。図１１は、撮影装置１の光源の光量調整を説明するための図である。
【００８５】
図１１（ａ）は、裸眼やハード・コンタクトレンズ着用に対するときの光量調整を説明する図である。
【００８６】
図１１（ａ）に示すように、裸眼やハード・コンタクトレンズ着用に対応するために、照明制御部１５は、両側照明を行うように光源を制御する。光源による両側方向からの照明により、被写体７０が曲率の大きいハード・コンタクトレンズを着用した場合であっても、目尻側より照明している光源１１により左目７１の目頭側に発生する影を抑えることができる。同様に、目尻側より照明している光源１３により右目７２の目頭側に発生する影を抑えることができる。なお、曲率がそれほど大きくないが、裸眼に対しても、同様に、影を抑えることができる。
【００８７】
また、両側照明時には、照明制御部１５は、図１１（ａ）に示すように、光源１１と光源１３に対して発光素子１１０を５個点灯し、光源１２と光源１４に対しては、発光素子１１０を８個点灯する。このように、光源からの照射角度によって被写体７０の目の眼上での照度が変化するため、照明制御部１５は、照射角度に応じて発光素子１１０の点灯数を制御して光源の光量を調整する。これにより、光源１１と光源１２からの照明による目の照度をそれぞれ一定の値に調整することができる。同様に、光源１３と光源１４からの照明による目の照度をそれぞれ一定の値に調整することができる。これによって、目の眼上またはハード・コンタクトレンズ上における照明ムラを抑えることができる。
【００８８】
なお、照明制御部１５は、発光素子１１０を発光させるための駆動電流を制御することで光源の光量を調整することもできる。たとえば、照明制御部１５は、パルス駆動時のＯＮとＯＦＦの比の制御、電流の大きさの制御などを行うことで駆動電流を変更することができる。
【００８９】
このように、発光素子１１０の点灯数または駆動電流または両方を制御することで、照射角度に応じて各光源の光量の調整を行うことができ、パネルでの光源の配置の自由度を増すことができる。
【００９０】
一方、図１１（ｂ）は、眼鏡着用に対するときの光量調整を説明するための図である。
【００９１】
図１１（ｂ）に示すように、眼鏡着用に対応して、照明制御部１５は片側照明を行う。これにより、照射角度の傾きが大きい光源１２と光源１４による照明を行うので、被写体が多少左右に顔の向きを変えても、眼鏡レンズからの眼鏡反射を抑えることができる。
【００９２】
また、片側照明時には、照明制御部１５は、図１１（ｂ）に示すように、光源１１と光源１３に対して発光素子１１０をすべて消灯し、光源１２と光源１４に対しては、被写体７０の眼上で照度を両側照明時と同じにするため、発光素子１１０を１３個点灯する。これにより、片側照明でも被写体７０の目において、両側照明と同じ照度を確保することができる。
【００９３】
なお、両側照明のときと同様に、発光素子１１０の光量を駆動電流により補正し、発光素子１１０の発光量のばらつきを補正するようにしてもよい。この場合は、たとえば、発光素子１１０を１６個点灯し、さらに駆動電流を調整することで、発光素子１１０が１３個点灯したのと光量を等価にすることができる。
【００９４】
このように、光源からの照射方向と撮影光軸との角度の傾きが異なっていても、目で得られる照度を一定に調整することができ、光源の配置の自由度を高めることができる。これにより、光源の配置の工夫により装置を小型化することも可能となる。
【００９５】
また、照明制御部１５は、ハード・コンタクトレンズや裸眼に対する照明と、眼鏡に対する照明とを切り替える。これにより、被写体７０が曲率の大きいハード・コンタクトレンズを着用している場合であっても、両側照明よりハード・コンタクトレンズの輪郭領域に発生する影を抑えることができる。また、被写体７０が曲率の小さい眼鏡を着用している場合であっても、撮影光軸に対して照射角度の傾きが大きい光源による片側照明が使え、眼鏡反射を抑えることができる。
【００９６】
つぎに、被写体がハード・コンタクトレンズを着用した場合の照明について、図１２を用いて詳細に説明する。図１２はハード・コンタクトレンズを着用した被写体の目に対する照明を説明するための図である。
【００９７】
照明制御部１５は、裸眼やハード・コンタクトレンズに対応する場合、光源１１と光源１２、光源１３と光源１４を点灯し、それぞれ左目７１、右目７２に対して照明を行う。
【００９８】
図１２（ａ）に示すように、ハード・コンタクトレンズ９０を着用した被写体７０の左目７１に対して、光源１１の光線８１はカメラ１６の撮影光軸８５に対して角度θ１で虹彩７３に照射される。一方、光源１２の光線８２はカメラ１６の撮影光軸８５に対して角度θ２で虹彩７３に照射される。ここで、光源１１、１２のそれぞれの光線８１、８２は虹彩７３のところで交差するようにしている。また、角度θ２＞角度θ１の関係になっている。これにより、光源１２の光線８２によって、ハード・コンタクトレンズ９０の曲率により目尻側７５のエッジ領域に生じ易い影を光源１１の光線８１によって抑えることができる。同様に、光源１１により目頭側７６に発生する影を光源１２により抑えることができる。
【００９９】
また、光源１２の角度θ２を所定の値より大きくすると、ハード・コンタクトレンズ９０の目尻側７５のエッジ領域に光が伝搬して輪郭が明るく強調される場合もある。ハード・コンタクトレンズ９０の輪郭が強調されると、ハード・コンタクトレンズ９０の輪郭を虹彩７３の輪郭として誤識別してしまい、認証コードを生成する際に誤ったコードを生成してしまう場合もある。このような場合は、光源１２の光量を弱くするように調整し、輪郭の強調を抑えることができる。また、同様に、光源１４による輪郭強調も光源１４の光量を弱くすることで抑えることができる。
【０１００】
同様に、図１２（ｂ）に示すように、ハード・コンタクトレンズ９１を着用した被写体の右目７２に対して、光源１３の光線８３はカメラ１７の撮影光軸８６に対して角度θ１で虹彩７４に照射される。一方、光源１４の光線８４はカメラ１７の撮影光軸８６に対して角度θ２で虹彩７４に照射される。ここで、光源１３、１４のそれぞれの光線８３、８４は虹彩７４のところで交差するようにしている。また、角度θ２＞角度θ１の関係になっている。これにより、光源１４の光線８４によって、ハード・コンタクトレンズ９１の曲率により、目尻側７７のエッジ領域に生じ易い影を光源１３の光線８３によって抑えることができる。同様に、光源１３により目頭側７８に発生する影を光源１４により抑えることができる。
【０１０１】
また、光源１４の照射角度θ２を所定の値より大きくすると、ハード・コンタクトレンズ９１の目尻側７７のエッジ領域に光が伝搬して輪郭が明るく強調される場合もあるので、光源１４の光量を弱くするように調整し、輪郭の強調を抑えることができる。また、同様に、光源１３による輪郭強調も光源１３の光量を弱くすることで抑えることができる。
【０１０２】
つぎに、被写体が眼鏡を着用した場合の照明について図１３を用いて説明する。図１３は眼鏡を着用した被写体の目に対する照明について説明するための図である。
【０１０３】
照明制御部１５は、眼鏡に対応する場合、光源１２、光源１４を点灯し、それぞれ左目７１、右目７２に対して照明を行う。
【０１０４】
図１３（ａ）に示すように、眼鏡を着用した被写体の左目７１に対して、光源１２の光線８２は、カメラ１６の撮影光軸８５と目の眼上において角度θ２で交差し、眼鏡レンズ９４を通して虹彩７３を照射する。
【０１０５】
このように、眼鏡に対応する場合、左目７１に対して、撮影光軸８５に対する照射角度の傾きが大きい光源１２を用いることで、被写体７０の顔の向きが多少変化しても光源１２の光線８２が直接にカメラ１６に入らないようにし、眼鏡反射を抑えることができる。
【０１０６】
同様に、図１３（ｂ）に示すように、眼鏡を着用した被写体の右目７２に対して、光源１４の光線８４は、撮影光軸８６と目の眼上において角度θ２で交差し、眼鏡レンズ９５を通して虹彩７４を照射する。
【０１０７】
これにより、左目７１のときと同様に、撮影光軸８６に対する照射角度の傾きが大きい光源１４を用いることで、被写体７０の顔向きが多少変化しても光源１４の光線８４が直接にカメラ１７に入らないようにし、眼鏡反射を抑えることができる。
【０１０８】
つぎに、認証部２について図１４を用いて詳細に説明する。図１４は、認証部２の構成を示すブロック図である。
【０１０９】
図１４において、認証部２は、撮影装置１から取得した眼画像から虹彩パターンを抽出し左目７１および右目７２の認証コードを生成する認証情報生成部２１と、認証情報生成部２１により生成された認証コードを取り込む登録部２２および照合部２３と、照合部２３の照合結果を受けて最終の認証判定を行う認証判定部２６と、左目７１および右目７２の登録認証コードが記憶されたデータベース２４（以下、「ＤＢ２４」という）と、このＤＢ２４に接続されるユーザ登録部２５とを備えている。
【０１１０】
認証情報生成部２１は、撮影装置１から取得した被写体７０の左目７１、右目７２のそれぞれの眼画像から、左目７１の認証コードと右目７２の認証コードを生成する。
【０１１１】
登録部２２は、認証情報生成部２１から取り込んだ左目７１の認証コードと右目７２の認証コードとが新規な登録者である場合には、それぞれ左目登録認証コード、右目登録認証コードとして区別してＤＢ２４に新たな登録者として登録する。
【０１１２】
照合部２３は、認証情報生成部２１で生成された左目７１の認証コードとＤＢ２４に記憶されている左目７１の登録認証コードとを比較照合し、その左目７１に係る類似度を算出する。同様に、照合部２３は、認証情報生成部２１で生成された右目７２の認証コードとＤＢ２４に記憶されている右目７２の登録認証コードとを比較照合し、その右目７２に係る類似度を算出する。照合部２３は、認証コードと登録認証コードとの照合度合いとして、たとえばハミング距離に応じた類似度を算出する。
【０１１３】
ＤＢ２４には、あらかじめ登録した、被写体７０の左目７１の登録認証コードと右目７２の登録認証コードとを区別して記憶している。
【０１１４】
ユーザ登録部２５は、ユーザの情報の入力管理を行うものであり、新規な登録者の所属、情報アクセスの権限レベル、年齢、性別、眼鏡の着用有無、コンタクトレンズの着用有無などのユーザ情報を登録時に入力する。このユーザ情報を使って、認証判定時の閾値を制御するようにしてもよい。たとえば、情報アクセスの権限レベルが高いときは、認証判定するときの閾値を高く設定し、より厳密な認証結果を出力できるようにしてもよい。
【０１１５】
認証判定部２６は、左目７１または右目７２のいずれか一方または両方の類似度が所定の閾値より高いときに「一致」と判断し、被写体７０は「登録者本人である」と判定した認証結果を出力する。一方、左目７１と右目７２の類似度がいずれも所定の閾値以下であるとき「不一致」と判断し、被写体７０は「登録者本人ではない」と判定した認証結果を出力する。
【０１１６】
このように、認証部２は、撮影装置１より右目７２と左目７１の眼画像を取得して、それぞれ右目７２用の認証コードと左目７１用の認証コードを作成する。また、認証判定部２６は、右目７２用と左目７１用の少なくともいずれか一方の認証コードから被写体７０があらかじめ登録された者であるか否かを判定するので、認証部２が保有する登録認証コードが右目７２用と左目７１用のいずれか一方、または、両目用のどちらであっても認証を行うことができる。
【０１１７】
つぎに、撮影装置１の動作について、図１５を用いて説明する。図１５は、撮影装置１の動作を説明するフローチャートである。
【０１１８】
図１５に示すように、撮影装置１は、目位置判定部３３により、被写体７０の目位置がカメラ１６、１７の合焦範囲（Ｚ軸方向）にあるか否かを判断する（Ｓ１０１）。たとえば、撮影装置１は、測距部３２の出力から、目位置までの撮影距離が、たとえば３５ｃｍ以上で４５ｃｍ以下のときに合焦範囲にあると判断する。
【０１１９】
撮影装置１は、被写体７０の目位置が合焦範囲に入っていない場合は被写体７０を前後に誘導する。誘導方法は、音声を使って誘導してもよいし、ＬＥＤ表示などを使って誘導してもよい。
【０１２０】
一方、被写体７０の目位置が合焦範囲に入っている場合には、撮影装置１は、照明制御部１５により、光源１１〜１４の点灯を切り替えながら左目７１と右目７２の撮影を行う。
【０１２１】
まず、撮影装置１は、光源１１と光源１２、光源１３と光源１４を点灯し（Ｓ１０２）、両側照明により、左目７１をカメラ１６、右目７２をカメラ１７で撮影する（Ｓ１０３）。
【０１２２】
このように被写体７０の左目７１、右目７２をそれぞれ両側より照明して撮影することで、ハード・コンタクトレンズを着用した場合であっても、ハード・コンタクトレンズを均一に照明することができ、輪郭領域に発生する影を抑えることができる。また、裸眼に対しても目頭側、目尻側に発生し易い影を抑えることができる。
【０１２３】
つぎに、撮影装置１は、撮影光軸に対して照射方向の傾きの大きな光源１２、光源１４を点灯し（Ｓ１０４）、片側照明により、左目７１をカメラ１６、右目７２をカメラ１７で撮影する（Ｓ１０５）。
【０１２４】
このように、撮影光軸に対して照射方向の傾きの大きな照明を使用して被写体７０の目を撮影することで、被写体が眼鏡を着用した場合であっても、眼鏡反射を抑えることができる。
【０１２５】
つぎに、撮影装置１は、目位置判定部３３により、「撮影画角内に目が写っている」かつ「目位置が合焦範囲に入っている」と判定したときには「目位置ＯＫ」の判定結果を画像判定部１８に出力する（Ｓ１０６）。
【０１２６】
一方、撮影装置１は、「撮影画角内に目が写っていない」または「目位置が合焦範囲に入っていない」と判定したときには「目位置ＮＧ」の判定結果を画像判定部１８に出力し（Ｓ１０６）、再度、ステップＳ１０１に戻り、被写体７０の両目の撮影をやり直す。
【０１２７】
これにより、撮影装置１は、目位置が適正な撮影範囲に入っているか否かを判定する。
【０１２８】
つぎに、撮影装置１は、画像判定部１８が目位置判定部３３から「目位置ＯＫ」の判定結果を得たときに、カメラ１６、１７より撮影して得た左目７１と右目７２の眼画像の画質を判定する（Ｓ１０７）。撮影装置１は、左目７１と右目７２のいずれか一方の眼画像の画質が「ＮＧ」のとき（Ｓ１０８）、再度、ステップＳ１０１に戻り、被写体７０の両目の撮影をやり直す。
【０１２９】
一方、撮影装置１は、両方の眼画像の「画質ＯＫ」の判定結果が得られたとき（Ｓ１０８）、左目７１用の眼画像と右目７２用の眼画像とをそれぞれ区別して記憶部１９に記憶する。また、撮影装置１は、送受信部２０により、記憶されている左目７１用の眼画像と右目７２用の眼画像とを認証部２に送信する（Ｓ１０９）。
【０１３０】
つぎに、認証装置３の動作について、図１６を用いて説明する。図１６は、認証装置３の動作を説明するフローチャートである。
【０１３１】
図１６に示すように、認証装置３は、撮影装置１から左目７１の眼画像と右目７２の眼画像とを取得し（Ｓ２０１）、認証情報生成部２１により、左目７１用の認証データと右目７２用の認証データを生成する（Ｓ２０２）。
【０１３２】
このように、左目７１用の認証データと右目７２用の認証データの両方を生成することで、被写体７０が登録認証データとして左目７１用または右目７２用のいずれか一方、または両方のいずれを登録した場合であっても、認証を行うことができるようにしている。
【０１３３】
つぎに、認証装置３は、照合部２３により、左目７１用の認証データと、ＤＢ２４に記憶されている左目７１用の登録認証データとを比較照合し、左目７１に係る類似度を算出する（Ｓ２０３）。ここで、認証装置３は、認証コードと登録認証コードとの照合度合いを類似度として算出する。
【０１３４】
つぎに、認証装置３は、認証判定部２６により、左目７１の類似度が所定の閾値より高いときに「一致」と判断し（Ｓ２０４）、被写体７０は「登録者本人である」と判定した認証結果を出力する（Ｓ２０７）。
【０１３５】
一方、認証装置３は、照合部２３により、左目７１の類似度が所定の閾値以下であるとき「不一致」と判断し（Ｓ２０４）、つぎに、右目７２用の認証データと、ＤＢ２４に記憶されている右目７２用の登録認証データとを比較照合し、右目７２に係る類似度を算出する（Ｓ２０５）。ここで、認証装置３は、左目７１の照合と同様に、認証コードと登録認証コードとの照合度合いを類似度として算出する。なお、照合部２３は、左目７１用の認証データから比較照合をするようにしたが、右目７２用の認証データから比較照合するようにしてもよい。
【０１３６】
つぎに、認証装置３は、認証判定部２６により、右目７２の類似度が所定の閾値より高いときに「一致」と判断し（Ｓ２０６）、被写体７０は「登録者本人である」と判定した認証結果を出力する（Ｓ２０７）。一方、認証装置３は、右目７２の類似度が所定の閾値以下であるとき「不一致」と判断し（Ｓ２０６）、被写体７０は「登録者本人ではない」と判定した認証結果を出力する（Ｓ２０８）。この認証結果を用いてドアの開閉制御や入出門の許可・不許可、特定人物の入出情報の登録などの管理を行えば、建物や集合住宅における入出門管理や、特定人物の行動パターン追跡などに応用できる。
【０１３７】
以上のように、本発明の実施の形態１によれば、撮影装置１は、２つの窓３５、３６を通して被写体７０の左目７１と右目７２とをハーフミラー３０にそれぞれ映して目位置を誘導することができる。これにより、効き目を意識することなく目位置を合わせることができる。
【０１３８】
また、撮影装置１は、被写体７０に注視用目印２００を注視させることで、ハーフミラー３０に両目を映した場合であっても、虚像の発生を抑えることができる。これにより、目位置を容易に合わせることができる。さらに、測距部３２により、撮影距離（Ｚ軸方向）に応じて、被写体７０を音声または表示装置などを用いて誘導することができる。
【０１３９】
また、撮影装置１は、右目７２、左目７１用の両方の照明を備えているため、被写体７０は認証時に目位置を左目７１と右目７２に合わせ、替える必要がない。このため、目位置を合わせる煩わしさが少なくなり、被写体７０が装置操作を誤ることもなく最適な照明により一度に両目の撮影を行うことができる。また、被写体７０が眼鏡やハード・コンタクトレンズなどを着用した場合であっても、眼鏡反射やハード・コンタクトレンズの輪郭に発生する影を抑え、欠落を抑えた眼画像を撮影することができる。
【０１４０】
また、撮影装置１は、照明制御部１５により、光源１１〜１４の光量をそれぞれ調整できるようにしているため、各光源１１〜１４と撮影光軸とが交差するときの角度が異なる場合であっても、目位置での照度を一定にすることができ、光量バランスを調整することができる。また、光量のバランス調整ができることで、光源１１〜１４を取り付ける配置位置の自由度を高めることができ、配置を工夫することで装置を小型化することも可能となる。
【０１４１】
また、両側照明により、曲率が大きいハード・コンタクトレンズであってもレンズ上での照度を均一にし照明ムラを抑えることで、輪郭領域の影を抑えることができる。
【０１４２】
（実施の形態２）
図１７は、本発明の実施の形態２に係る撮影装置のパネルの構成を示す図である。
【０１４３】
図１７において、本発明の実施の形態２に係る撮影装置４のパネル３９が上述の撮影装置１のパネル３４と相違する点は、パネル３４における注視用目印２００を、撮影距離の状態が表示可能な注視用目印２０１に変更した点である。ここで、注視用目印２０１は、可視光を発する複数の発光素子を横方向に並置して構成されている。これにより、被写体７０に注視用目印２０１を注視させながら、後述するように、撮影状態を被写体７０に報知することが可能となる。また、注視用目印２０１の周囲には、他の背景画像などの刺激を抑えるために空白領域３０２を設けている。
【０１４４】
以下、実施の形態１と同様の部分については、同一符号を付し、その詳細な説明は省略する。
【０１４５】
表示制御の構成について、図１８を用いて説明する。図１８は、表示制御に係る構成について説明するための図である。
【０１４６】
図１８において、撮影装置４は、測距部３２により、撮影装置４と被写体７０（目、顔、額など）との距離を測定し、目位置判定部３３に距離情報を出力する。
【０１４７】
目位置判定部３３は測距部３２の出力を取得することで、被写体７０が合焦範囲に誘導されたかどうかを判定する。たとえば、被写体７０の目位置が３５ｃｍ以上で４５ｃｍ以下である場合は、目位置判定部３３は、「合焦範囲に入っている」と判定し、表示制御部１０に「撮影距離ＯＫ」を出力する。一方、被写体７０の目位置が３５ｃｍ以上で４５ｃｍ以下でない場合は、目位置判定部３３は、「合焦範囲に入っていない」と判定し、表示制御部１０に「撮影距離ＮＧ」を出力する。また、目位置判定部３３はカメラ１６、１７から画像を取得することで、撮影画角内に目位置があるか否かを判定でき、撮影画角内に目があるとき「撮影画角ＯＫ」、撮影画角内に目がないとき「撮影画角ＮＧ」を表示制御部１０に出力する。
【０１４８】
表示制御部１０は、目位置判定部３３から「撮影距離ＯＫ」を取得したときに、測距部３２から得た撮影距離情報に応じて注視用目印２０１の発光素子の点灯を制御する。たとえば、表示制御部１０は、被写体７０の撮影位置が合焦範囲に入ると、注視用目印２０１の発光素子の１つを点滅させる。また、表示制御部１０は、撮影距離が焦点位置に近づくほど発光素子の点灯数を増やす。これにより、被写体７０に注視用目印２０１を注視させることで虚像の発生を抑え、同時に、被写体７０に撮影距離の状況を報知することができる。これにより、被写体７０を容易に、かつ迅速に最適な撮影位置まで誘導することができる。
【０１４９】
なお、表示制御部１０は、撮影距離に応じて注視用目印２０１の発光素子を点灯させたが、撮影距離に応じて発光素子の点滅数を変更するようにしてもよい。
【０１５０】
また、表示制御部１０は、目位置判定部３３から「撮影画角ＯＫ」を取得したときに、発光素子を点灯させるようにしてもよい。なお、表示制御部１０は、発光素子を点灯から点滅に切り替えるようにしてもよい。これにより、「撮影距離ＯＫ」で発光素子を点灯させ、「撮影画角ＯＫ」で点滅に切り替えることができる。これによれば、被写体７０は、発光素子の点灯、または点滅を識別することで撮影状況を知ることができる。
【０１５１】
また、表示制御部１０は、撮影距離に応じて発光素子の色を変えるようにしてもよい。たとえば、撮影距離に応じて赤色から青色に変更するようにしてもよい。
【０１５２】
以上のように、本発明の実施の形態２によれば、被写体７０に注視用目印２０１を注視させることで虚像の発生を抑え、同時に、被写体７０に撮影状況を報知することができる。
【０１５３】
なお、図１９に示すように、ハーフミラー３０に上下方向の目位置を誘導するための目印２０３、２０４をそれぞれ設けてもよい。これにより、被写体７０は、左目７１と右目７２の目位置を上下方向に容易に合わせることができる。
【０１５４】
また、本発明の実施の形態における照明制御機能、目位置判定機能、画像判定機能、送受信機能、認証情報生成機能、照合機能、認証判定機能などは、集積回路などを用いたハードウェアにより実行してもよいし、プログラムを中央処理装置（ＣＰＵ）、デジタル信号処理装置（ＤＳＰ）などで実行させてもよい。
【産業上の利用可能性】
【０１５５】
本発明による撮影装置および認証装置によれば、被写体の眼画像の撮影情報を取得して認証することができ、特に、被写体にとっての目位置合わせの煩わしさを少なくし、迅速かつ的確に目位置を誘導して両目の眼画像を撮影可能な撮影装置およびそれを用いた認証装置などとして有用である。
【図面の簡単な説明】
【０１５６】
【図１】本発明の実施の形態１に係る認証装置の構成を示す図
【図２】同撮影装置のパネルの構成を示す図
【図３】同撮影装置の空白領域の有無の評価結果を示す図
【図４】同撮影装置の窓の形状における虚像の重なり方を説明するための図
【図５】同撮影装置の窓の形状の評価結果を示す図
【図６】同撮影装置の注視用目印の配置を説明するための図
【図７】同撮影装置の注視用目印と空白領域との重なりに対する評価結果を示す図
【図８】同撮影装置の注視用目印用の空白領域について説明するための図
【図９】同撮影装置の注視用目印用の空白領域に対する評価結果を示す図
【図１０】同撮影装置の照明の構成を示す図
【図１１】同撮影装置の照明の光量調整を説明するための図
【図１２】同ハード・コンタクトレンズを着用した被写体の目に対する照明を説明するための図
【図１３】同眼鏡を着用した被写体の目に対する照明を説明するための図
【図１４】同認証部の構成を示すブロック図
【図１５】同撮影装置の動作を説明するフローチャート
【図１６】同認証装置の動作を説明するフローチャート
【図１７】本発明の実施の形態２に係る撮影装置のパネルの構成を示す図
【図１８】同表示制御に係る構成を説明するための図
【図１９】同目位置を誘導するための他の目印を説明するための図
【符号の説明】
【０１５７】
１，４    撮影装置
２    認証部
３    認証装置
１０    表示制御部
１１，１２，１３，１４    光源
１５    照明制御部
１６，１７    カメラ
１８    画像判定部
１９    記憶部
２０    送受信部
２１    認証情報生成部
２２    登録部
２３    照合部
２４    データベース（ＤＢ）
２５    ユーザ登録部
２６    認証判定部
３０    ハーフミラー
３２    測距部
３３    目位置判定部
３４，３９    パネル
３５，３６    窓
７０    被写体
７１    左目
７２    右目
７３，７４    虹彩
８１，８２，８３，８４    光線
８５，８６    撮影光軸
９０，９１    ハード・コンタクトレンズ
９４，９５    眼鏡レンズ
１１０    発光素子
２００，２０１    注視用目印
２０３，２０４    目印
３００，３０１，３０２    空白領域
４００，４０１，４０２，４０３    虚像
【図１】
2007319175.tif 000003
【図２】
2007319175.tif 000004
【図３】
2007319175.tif 000005
【図４】
2007319175.tif 000006
【図５】
2007319175.tif 000007
【図６】
2007319175.tif 000008
【図７】
2007319175.tif 000009
【図８】
2007319175.tif 000010
【図９】
2007319175.tif 000011
【図１０】
2007319175.tif 000012
【図１１】
2007319175.tif 000013
【図１２】
2007319175.tif 000014
【図１３】
2007319175.tif 000015
【図１４】
2007319175.tif 000016
【図１５】
2007319175.tif 000017
【図１６】
2007319175.tif 000018
【図１７】
2007319175.tif 000019
【図１８】
2007319175.tif 000020
【図１９】
2007319175.tif 000021